(57)【要約】【課題】ＬＥＤが故障した場合でも、発光輝度を変化させることなく点灯を維持する。【解決手段】直列に接続された複数のＬＥＤから構成される発光部と、ＬＥＤがオープン状態になった場合に、供給される電源をバイパスして他のＬＥＤに電源を供給するための発光維持回路と、を有し、発光維持回路は、ＬＥＤの入力側と出力側でそれぞれ接続されて並列回路を構成するとともに、ＬＥＤの順方向電圧に応じて設定された抵抗を有する設定抵抗と、設定抵抗の出力側とＬＥＤの出力側の間に介在するよう接続されて、ＬＥＤ間の電圧が上昇した場合に、設定抵抗の出力側を導通させて前記ＬＥＤに供給される電流をバイパスさせる第一のスイッチング回路と、第一のスイッチング回路がオンした場合に、設定抵抗に流れる電流に基づいて第一のスイッチング回路のオン状態を維持するよう作動する第二のスイッチング回路と、を有する。【選択図】図１
2011014367.tif 000002
【特許請求の範囲】
【請求項１】
複数のＬＥＤを発光させる照明装置において、
直列に接続された複数のＬＥＤから構成される発光部と、
前記ＬＥＤに接続されて並列回路を構成し、前記ＬＥＤがオープン状態になった場合に、このＬＥＤに供給される電源をバイパスして他のＬＥＤに電源を供給するための発光維持回路と、を有し、
前記発光維持回路は、
前記ＬＥＤの入力側と出力側でそれぞれ接続されて並列回路を構成するとともに、前記ＬＥＤの順方向電圧に応じて設定された抵抗値を有する設定抵抗と、
前記設定抵抗の出力側と前記ＬＥＤの出力側の間に介在するよう接続されて、前記ＬＥＤ間の電圧が上昇した場合に、前記設定抵抗の出力側を導通させて前記ＬＥＤに供給される電流をバイパスさせる第一のスイッチング回路と、
前記第一のスイッチング回路がオンした場合に、前記設定抵抗に流れる電流に基づいて前記第一のスイッチング回路のオン状態を維持するよう作動する第二のスイッチング回路と、を有することを特徴とする照明装置。
【請求項２】
前記第一のスイッチング回路は、
前記ＬＥＤと並列回路を構成して同ＬＥＤ間の電圧上昇を検出する抵抗と、
この抵抗に印加される電圧に基づいて流れるベース電流によりオンする第一のトランジスターと、を有することを特徴とする請求項１に記載の照明装置。
【請求項３】
前記第二のスイッチング回路は、前記設定抵抗に発生する電圧に基づいて流れるベース電流によりオンし、前記第一のトランジスターのベース電流を所定値に維持するよう作動する第二のトランジスターと、を有することを特徴とする請求項１に記載の照明装置。
【請求項４】
前記発光部は、発光色が異なるＬＥＤが直列に接続されて構成されたＬＥＤモジュールを複数有することを特徴とする請求項１〜請求項３のいずれか一項に記載の照明装置。
【請求項５】
複数のＬＥＤを発光させるバックライトと、このバックライトから照射される光の透過率を変化させて映像を表示する表示部と、を有する表示装置において、
前記バックライトは、
直列に接続された複数のＬＥＤから構成される発光部と、
前記ＬＥＤに接続されて並列回路を構成し、前記ＬＥＤがオープン状態になった場合に、このＬＥＤに供給される電源をバイパスして他のＬＥＤに電源を供給するための発光維持回路と、を有し、
前記発光維持回路は、
前記ＬＥＤの入力側と出力側でそれぞれ接続されて並列回路を構成するとともに、前記ＬＥＤの順方向電圧に応じて設定された抵抗値を有する設定抵抗と、
前記設定抵抗の出力側と前記ＬＥＤの出力側の間に介在するよう接続されて、前記ＬＥＤ間の電圧が上昇した場合に、前記設定抵抗の出力側を導通させて前記ＬＥＤに供給される電流をバイパスさせる第一のスイッチング回路と、
前記第一のスイッチング回路がオンした場合に、前記設定抵抗に流れる電流に基づいて前記第一のスイッチング回路のオン状態を維持するよう作動する第二のスイッチング回路と、を有することを特徴とする表示装置。
【請求項６】
前記第一のスイッチング回路は、
前記ＬＥＤと並列回路を構成して同ＬＥＤ間の電圧上昇を検出する抵抗と、
この抵抗に印加される電圧に基づいて流れるベース電流によりオンする第一のトランジスターと、を有し、
前記第二のスイッチング回路は、前記設定抵抗に発生する電圧に基づいて流れるベース電流によりオンし、前記第一のトランジスターのベース電流を所定値に維持するよう作動する第二のトランジスターと、を有し、
前記発光部は、発光色が異なるＬＥＤが直列に接続されて構成されたＬＥＤモジュールを複数有する、ことを特徴とする請求項５に記載の表示装置。
【発明の詳細な説明】
【技術分野】
【０００１】
本発明は、直列に接続されたＬＥＤを用いた照明装置に関し、特に、一つのＬＥＤが故障しても他のＬＥＤの点灯に影響を与えることなく点灯を維持することが可能な照明装置、及び上記照明装置を使用した表示装置に関する。
【背景技術】
【０００２】
従来、ＬＥＤ（Light-Emitting-Diode）を発光素子として用いた照明装置が知られている。ＬＥＤを発光素子として使用する場合、複数のＬＥＤを直列に接続してＬＥＤモジュールを構成し、このＬＥＤモジュールに対して電流を流すことで、各ＬＥＤを発光させている。
【０００３】
上記構成の照明装置において、直列に接続されたＬＥＤの１つが故障により導通しなくなった場合、このＬＥＤモジュールに電流が流れなくなるため、ＬＥＤモジュールが発光しなくなる。そのため、直列にＬＥＤが接続されたＬＥＤモジュールにおいて、各ＬＥＤに並列にバイパス回路を接続し、ＬＥＤが故障した場合に、このバイパス回路を経由して電流を他のＬＥＤに供給する照明装置が知られている（例えば、特許文献１−４参照）。
【先行技術文献】
【特許文献】
【０００４】
【特許文献１】特開２００５−３１０９９９号公報
【特許文献２】特開２００７−２００５７７号公報
【特許文献３】特開２００５−３１０９９８号公報
【特許文献４】特開２００７−３２９２７５号公報
【発明の概要】
【発明が解決しようとする課題】
【０００５】
ＬＥＤ毎にパイパス回路を並列に接続して、ＬＥＤの故障に起因するＬＥＤモジュールの不点灯を防止する場合、以下のような問題がある。ＬＥＤを直列に接続してＬＥＤモジュールを構成した場合、ＬＥＤモジュール全体での電圧は、各ＬＥＤが保持する順方向電圧の和となる。また、ＬＥＤは、その固体毎に順方向電圧にばらつきがある。そのため、単一の素子により形成されたバイパス回路を経由して電流を他のＬＥＤに供給した場合では、ＬＥＤモジュール全体での電圧が変化することとなる。その結果、あるＬＥＤの故障の前後で各ＬＥＤの発光輝度が変化し、ユーザーの視認性に影響を与える場合があった。
【０００６】
本発明は、上記課題にかんがみてなされたもので、ＬＥＤを直列に接続して構成した発光部を有する照明装置において、各ＬＥＤが故障した場合でも、発光輝度を変化させることなく点灯を維持することが可能な照明装置、及び前記照明装置を使用した表示装置の提供を目的とする。
【課題を解決するための手段】
【０００７】
上記課題を解決するために、本発明では、複数のＬＥＤを発光させる照明装置において、直列に接続された複数のＬＥＤから構成される発光部と、前記ＬＥＤに接続されて並列回路を構成し、前記ＬＥＤがオープン状態になった場合に、このＬＥＤに供給される電源をバイパスして他のＬＥＤに電源を供給するための発光維持回路と、を有し、前記発光維持回路は、前記ＬＥＤの入力側と出力側でそれぞれ接続されて並列回路を構成するとともに、前記ＬＥＤの順方向電圧に応じて設定された抵抗値を有する設定抵抗と、前記設定抵抗の出力側と前記ＬＥＤの出力側の間に介在するよう接続されて、前記ＬＥＤ間の電圧が上昇した場合に、前記設定抵抗の出力側を導通させて前記ＬＥＤに供給される電流をバイパスさせる第一のスイッチング回路と、前記第一のスイッチング回路がオンした場合に、前記設定抵抗に流れる電流に基づいて前記第一のスイッチング回路のオン状態を維持するよう作動する第二のスイッチング回路と、を有する構成としてある。
【０００８】
上記のように構成された発明では、発光部を構成する複数のＬＥＤには、同ＬＥＤに接続されて並列回路を構成し、ＬＥＤがオープン状態になった場合に、このＬＥＤに供給される電源をバイパスして他のＬＥＤに電源を供給するための発光維持回路を有している。この発光維持回路は、ＬＥＤの入力側と出力側でそれぞれ接続されて並列回路を構成するとともに、ＬＥＤの順方向電圧に応じて設定された抵抗値を有する設定抵抗を有しており、ＬＥＤの故障等によりＬＥＤ間の電圧が上昇した場合に、第一のスイッチング回路が、設定抵抗の出力側を導通させてＬＥＤに供給される電流をこの設定抵抗にバイパスさせる。更に、第一のスイッチング回路がオンした場合に、第二のスイッチング回路は、設定抵抗に流れる電流に基づいて第一のスイッチング回路のオン状態を維持するよう作動する。
そのため、設定抵抗の抵抗値を調整することで、ＬＥＤが故障した場合でも、電流がバイパスされる発光維持回路の回路内電圧をＬＥＤの順方向電圧と同等の値とすることが可能となり、発光部の発光輝度に影響を与えない。このことは、バイパス回路をダイオード等で構成した場合に比べて、設定値の合わせ込みが用意となる。
【０００９】
なお、「バイパスする」とは、元々設定された経路を流れる電流を他の経路に迂回させて流すことを意味する。
また、「オープン状態」とは、ＬＥＤが故障などにより電流が流れなくなった状態を意味する。
そして、「ＬＥＤの順方向電圧に応じて設定された抵抗値」とは、ＬＥＤからバイパスされて設定抵抗に流れる電流により同設定抵抗間に発生する電圧がＬＥＤの順方向電圧と同等になるようその抵抗値が設定されていることを意味する。
【００１０】
また、第一のスイッチング回路を実現する具体的な構成の一例として、前記第一のスイッチング回路は、前記ＬＥＤと並列回路を構成して同ＬＥＤ間の電圧上昇を検出する抵抗と、この抵抗に印加される電圧に基づいて流れるベース電流によりオンする第一のトランジスターと、を有する構成としてもよい。
上記のように構成された発明では、抵抗に発生する電圧によりトランジスターをオン・オフすることが可能となり、簡易な構成で第一のスイッチング回路を実現することができ、回路規模を小さくすることができる。
【００１１】
そして、第二のスイッチング回路を実現する具体的な構成の一例として、前記第二のスイッチング回路は、前記設定抵抗に発生する電圧に基づいて流れるベース電流によりオンし、前記第一のトランジスターのベース電流を所定値に維持するよう作動する第二のトランジスターと、を有する構成としてもよい。
上記のように構成された発明では、設定抵抗に印加される電圧によりオン・オフするトランジスターにより第一のトランジスターのベース電流を増幅して、第一のトランジスターのオン状態を維持することが可能となるため、簡易な構成で第二のスイッチング回路を実現することができ、回路規模を小さくすることができる。
【００１２】
更に、発光部の構成の一例として、前記発光部は、発光色が異なるＬＥＤが直列に接続されて構成されたＬＥＤモジュールを複数有する構成としてもよい。
ＬＥＤは発光色毎にその電圧が異なるため、上記のように構成された発明では、発光色毎にパイパス回路を形成することができ、ＬＥＤの故障後においても発光輝度を均一に保つことが可能となる。
【００１３】
また、本発明は、照明装置のみに限定されず、この照明装置を使用する表示装置に対しても適応することができる。そのため、本発明の他の局面として、複数のＬＥＤを発光させるバックライトと、このバックライトから照射される光の透過率を変化させて映像を表示する表示部と、を有する表示装置において、前記バックライトは、直列に接続された複数のＬＥＤから構成される発光部と、前記ＬＥＤに接続されて並列回路を構成し、前記ＬＥＤがオープン状態になった場合に、このＬＥＤに供給される電源をバイパスして他のＬＥＤに電源を供給するための発光維持回路と、を有し、前記発光維持回路は、前記ＬＥＤの入力側と出力側でそれぞれ接続されて並列回路を構成するとともに、前記ＬＥＤの順方向電圧に応じて設定された抵抗値を有する設定抵抗と、前記設定抵抗の出力側と前記ＬＥＤの出力側の間に介在するよう接続されて、前記ＬＥＤ間の電圧が上昇した場合に、前記設定抵抗の出力側を導通させて前記ＬＥＤに供給される電流をバイパスさせる第一のスイッチング回路と、前記第一のスイッチング回路がオンした場合に、前記設定抵抗に流れる電流に基づいて前記第一のスイッチング回路のオン状態を維持するよう作動する第二のスイッチング回路と、を有する構成としてある。
【００１４】
また、本発明に掛かる表示装置の具体的な構成の一例として、前記第一のスイッチング回路は、前記ＬＥＤと並列回路を構成して同ＬＥＤ間の電圧上昇を検出する抵抗と、この抵抗に印加される電圧に基づいて流れるベース電流によりオンする第一のトランジスターと、を有し、前記第二のスイッチング回路は、前記設定抵抗に発生する電圧に基づいて流れるベース電流によりオンし、前記第一のトランジスターのベース電流を所定値に維持するよう作動する第二のトランジスターと、を有し、前記発光部は、発光色が異なるＬＥＤが直列に接続されて構成されたＬＥＤモジュールを複数有する、構成としてもよい。
【発明の効果】
【００１５】
以上説明したように本発明によれば、直列回路を構成するＬＥＤ内の一部が故障した際、電流をバイパス回路により迂回させる場合でも、発光部の発光輝度に影響を与えることなく、発光を維持させることが可能となる。
また請求項２にかかる発明によれば、簡易な構成で第一のスイッチング回路を実現することができ、回路規模を小さくすることができる。
そして請求項３にかかる発明によれば、簡易な構成で第二のスイッチング回路を実現することができ、回路規模を小さくすることができる。
さらに請求項４にかかる発明によれば、異なる発光色を有する照明装置においても、ＬＥＤの故障後において発光輝度を均一に保つことが可能となる。
【図面の簡単な説明】
【００１６】
【図１】本発明に係る照明装置１００を説明するためのブロック構成図である。
【図２】本実施形態に係る照明装置の構成を説明するブロック構成図である。
【図３】本実施形態に係る発光維持回路８０を示す回路図である。
【図４】第２の実施形態として示す表示装置のブロック構成図である。
【発明を実施するための形態】
【００１７】
以下、図を参照しつつ下記の順序に従って本発明の実施形態を説明する。
１．第１の実施形態：
２．第２の実施形態：
【００１８】
１．第１の実施形態：
１．１．本発明の概要：
以下、図を参照して、この発明に係る照明装置を具体化した第１の実施形態について説明する。図１は、本発明に係る照明装置１００を説明するためのブロック構成図である。  本発明に係る照明装置１００は、以下の要部を備えて構成されている。発光部９０は、複数のＬＥＤから構成されており、各ＬＥＤは直列回路を構成することでＬＥＤモジュール９１として機能する。発光維持回路８０は、ＬＥＤに接続されて並列回路を構成し、接続されたＬＥＤがオープン状態になった場合に、このＬＥＤに供給される電流をバイパスして後段のＬＥＤに電流を供給する。また、発光維持回路８０は、ＬＥＤと並列回路を構成するとともに、ＬＥＤの内部抵抗と同等の抵抗を有する設定抵抗８１と、設定抵抗８１の出力側とＬＥＤの出力側の間に介在するよう接続されて、ＬＥＤの電圧が上昇した場合に、設定抵抗８１の出力側を導通させる第一のスイッチング回路８２と、第一のスイッチング回路８２がオンした場合に、設定抵抗８１に流れる電流に基づいて第一のスイッチング回路８２のオン状態を維持するよう作動する第二のスイッチング回路８３と、を備えて構成されている。
【００１９】
上記構成の照明装置１００では、ＬＥＤモジュール９１を構成するＬＥＤが故障してオープン状態となると、第一のスイッチング回路８２は、故障したＬＥＤ間に発生する電圧の上昇を検知し、設定抵抗８１をＬＥＤの出力端と導通させる。そのため、ＬＥＤと並列回路を構成する設定抵抗８１に電流：Ｉが流れる。また、設定抵抗８１に電流：Ｉが流れると、この電流に基づいて、第二のスイッチング回路８３が第一のスイッチング回路８２のオン状態を維持するよう作動し、設定抵抗８１に電流：Ｉを流し続け、故障したＬＥＤと後段で接続されたＬＥＤに対して電流を供給し続ける。
【００２０】
ここで、設定抵抗８１の抵抗値はＬＥＤの順方向電圧：ＶＦに対応させて設定されているため、ＬＥＤ間に掛かる電圧はＬＥＤの順方向電圧：ＶＦと同等の値に維持される。そのため、ＬＥＤモジュール９１全体では、電圧値が一定となり、ＬＥＤの故障の前後で発光部９０の発光輝度が維持される。また、各ＬＥＤの順方向電圧：ＶＦの値に応じて、設定抵抗８１の抵抗値を個別に設定することができるため、ダイオード等を電流のバイパス回路として利用する場合に比べて、より発光部９０の発光輝度を維持することが可能となる。
【００２１】
１．２．第一の実施例：
以下、本実施形態に係る照明装置１００のより具体的な構成を説明する。図２は、本実施形態に係る照明装置の構成を説明するブロック構成図である。また、図３は、本実施形態に係る発光維持回路８０を示す回路図である。この第一の実施例にて示す照明装置１００は、ＬＥＤを光源とする照明装置であり、図１に示す照明装置に加えて、ユーザーからの操作入力等により、ＬＥＤのオン・オフを切り替えるためのコントローラー９９や、ＬＥＤモジュール９１に対して電源を供給する電源回路９８を備えて構成されている。
【００２２】
発光部９０は、発光色の異なるＬＥＤモジュール９１を複数備えて構成されている。即ち、各ＬＥＤモジュール９１ａ〜ｄは、それぞれ対応する発光色のＬＥＤを直列に接続することにより構成されており、その順方向電圧：ＶＦの値も異なる。
【００２３】
発光維持回路８０は、ＬＥＤモジュール９１を構成する各ＬＥＤの入力端（アノード）と出力端（カソード）に接続されて並列回路を構成する。また、発光維持回路８０は、図１と同様、設定抵抗８１と、第一のスイッチング回路８２と、第二のスイッチング回路８３を備えて構成されている。なお、図２では、ＬＥＤモジュール９１に接続された発光維持回路８０にのみ符号を付するが、他のＬＥＤモジュール９１においても発光維持回路が接続されているものとする。
【００２４】
設定抵抗８１は、直列に接続された２つの抵抗：Ｒ１，Ｒ２を備えて構成されている。また、抵抗：Ｒ１は、ＬＥＤモジュール９１を構成する各ＬＥＤの入力端（アノード）に並列に接続され、抵抗：Ｒ２の出力側は、第一のスイッチング回路８２に接続されている。ここで、抵抗：Ｒ１，Ｒ２の合成抵抗は、並列に接続されるＬＥＤの順方向電圧：ＶＦに応じて設定される。即ち、ＬＥＤに流れる電流がバイパスされてこの設定抵抗８１に流れた際に、この設定抵抗８１に発生する電圧がＬＥＤ順方向電圧：ＶＦと略同一となるようその抵抗値が設定されている。また、より好ましくは、発光維持回路８０全体での合成抵抗が上記順方向電圧：ＶＦと同等となるよう設定抵抗８１の抵抗値を設定すればよい。
また、抵抗Ｒ１とＲ２による分圧比は、この設定抵抗８１に電流：Ｉが流れた際、ベース抵抗：Ｒｂ２（後述）に発生する電圧が第二のトランジスター（後述）のゲート電極のしきい値電圧より高くなるようその値が設定されている。
【００２５】
第一のスイッチング回路８２は、設定抵抗８１の出力端とＬＥＤの出力端（後段で接続されたＬＤＥの入力端）とを繋ぐ、第一のトランジスター：Ｔｒ１と、ＬＥＤ及び設定抵抗８１とそれぞれ並列に接続された起動抵抗８２ａを備えて構成されている。また、起動抵抗８２ａは、それぞれ抵抗値の異なる抵抗：Ｒ５，Ｒ６により構成され、抵抗：Ｒ５，Ｒ６の接続点は第一のトランジスター：Ｔｒ１をオンするためのベース抵抗：Ｒ１ｂを介して第一のトランジスター：Ｔｒ１のベースに接続されている。更に、このベース抵抗：Ｒ１ｂとベースとの間には、誤動作防止用のキャパシター：Ｃが接続されている。
また、起動抵抗８２ａの抵抗：Ｒ３，Ｒ４による分圧比は、この起動抵抗８２ａに電圧が発生した際、ベース抵抗：Ｒｂ１に発生する電圧が第一のトランジスター：Ｔｒ１のしきい値電圧より高くなるようその値が設定されている。
【００２６】
第二のスイッチング回路８３は、設定抵抗８１に発生する電圧を元にオン・オフを切り替える第二のトランジスター：Ｔｒ２と、この第二のトランジスター：Ｔｒ２のエミッターに接続されて直列回路を構成する保持抵抗８３ａを備えて構成されている。また、第二のトランジスター：Ｔｒ２のベースは、ベース抵抗：Ｒｂ２を介して設定抵抗８１の接点に接続されている。そして、保持抵抗８３ａは、抵抗値の異なる抵抗：Ｒ３，Ｒ４により構成され、抵抗：Ｒ３，Ｒ４の接続点は、第一のトランジスター：Ｔｒ１のベースにベース抵抗：Ｒｂ１を介して接続されている。
また、保持抵抗８３ａを構成する抵抗：Ｒ３，Ｒ４の分圧比は、少なくとも、ベース抵抗：Ｒｂ１に発生する電圧が第一のトランジスター：Ｔｒ１のしきい値電圧より高くなるよう設定されている。
【００２７】
コントローラー９９は、入力ポートを介して受け付けたＰ＿ｏｎ信号に応じて、電源回路９８に各ＬＥＤモジュール９１への電源の供給を制御する。また、電源回路９８は、発光色の異なる各ＬＥＤモジュール９１に対応した電圧を生成する変圧回路９８ａ〜ｄにより構成されている。そして、変圧回路９８ａ〜ｄは、コントローラー９９から出力される制御信号に応じて、各ＬＥＤモジュール９１へ電源を供給する。
【００２８】
以下、実施例１に示す照明装置１００の機能を説明する。
ユーザーがスイッチを操作してコントローラー９９にＰ＿ｏｎ信号を出力すると、コントローラー９９は、出力ポートから、各変圧回路９８ａ〜ｄに対して制御信号を出力する。各変圧回路９８ａ〜ｄは、入力された制御信号を昇圧して各ＬＥＤモジュール９１を発光させるための駆動電圧を生成し、この駆動電圧を各ＬＥＤモジュール９１に供給する。
【００２９】
ＬＥＤモジュール９１を構成する各ＬＥＤが故障していない（オープン状態でない）場合、ＬＥＤ間の電圧は上昇しないため、起動抵抗８２ａには第一のトランジスター：Ｔｒ１をオンするだけの電流は流れない。そのため、第一のトランジスター：Ｔｒ１はオンせず設定抵抗８１には、電流：Ｉが流れない。
【００３０】
一方、ＬＥＤモジュール９１を構成するＬＥＤが故障した（オープン状態となった）場合、故障したＬＥＤ間での電圧が上昇する。そのため、起動抵抗８２ａに流れる所定の電流により、ベース抵抗：Ｒｂ１には、抵抗（Ｒ５，Ｒ６）で分圧された電圧に応じた電流が流れる。
そのため、第一のトランジスター：Ｔｒ１のベース抵抗：Ｒｂ１に係る電圧が第一のトランジスター：Ｔｒ１の閾値電圧：ＶＢＥ１より高くなると、第一のトランジスター：Ｔｒ１はオンする。
【００３１】
第一のトランジスター：Ｔｒ１がオンすることにより、ＬＥＤに供給される電流は、設定抵抗８１に流れこむ。そのため、設定抵抗８１により分圧された電圧により第二のトランジスター：Ｔｒ２のベース抵抗：Ｒｂ２には、所定のベース電流：Ｉ’が流れる。そして、ベース抵抗：Ｒｂ２に掛かる電圧が第二のトランジスター：Ｔｒ２の閾値電圧：ＶＢＥ２より高くなると（ＶＢＥ２＜Ｉ’×Ｒ１）第二のトランジスターはオンする。すると、第二のトランジスター：Ｔｒ２のコレクター・エミッター間が導通し、保持抵抗８３ａに電流が流れる。
【００３２】
保持抵抗８３ａに電流が流れると、第一のトランジスター：Ｔｒ１のベース抵抗：Ｒｂ１に保持抵抗８３ａにより分圧された電圧に基づく電流が供給され、オン状態を維持する（例えば、第一のトランジスター：Ｔｒ１がオンし続ける条件は、ＶＢＥ１＜（Ｒ４//Ｒ６）／（Ｒ４//Ｒ６＋Ｒ３//Ｒ５）×ＶＦ（なお、「Ｒｉ//Ｒｉ」は、並列接続する２つの抵抗：Ｒｉ（ｉ＝１〜６）における合成抵抗を意味する。））。そのため、供給された電流：Ｉは、設定抵抗８１及び第一トランジスター：Ｔｒ１をバイパス経路として流れ、後段のＬＥＤに出力される。また、発光維持回路８０における内部抵抗は、ＬＥＤの順方向電圧：ＶＦに応じて設定されるため、ＬＥＤモジュール９１に印加される電圧は大きくは変化せず、発光部９０の発光輝度を一定に保つ。また、各ＬＥＤの順方向電圧：ＶＦは、対応する発光維持回路８０の設定抵抗８１の抵抗値を変化させることで設定することが可能である。以上第一の実施形態を説明した。
【００３３】
２．第２の実施形態：
以下、第２の実施形態として、照明装置１００をバックライトとして使用する表示装置を例に説明を行う。第２の実施形態で説明する表示装置においても、照明装置（バックライト）の構成は、第一の実施形態と同様である。
【００３４】
２．１．第一の実施例：
図４は、第２の実施形態として示す表示装置のブロック構成図である。図４に示す表示装置は、直下型のバックライトを用いた構成である。
表示装置２００は、以下の要部を備えて構成される。入力ＩＦ２０１は、外部からビデオデーターの供給を受け入れる。また、信号処理部２０２は受け入れたビデオデーターに対して所定の信号処理を施す。そして、ドライバー回路２０３は、ビデオデーターをデジタル・アナログ変換して、駆動信号を生成するとともに、この駆動信号を所定タイミングで出力する。表示パネル２０４は、ＲＧＢの各色に対応した液晶画素を縦横に所定数配列させて構成され、ドライバー回路２０３から供給される駆動信号により、バックライト２０５から照射される光の透過率を変化させて映像を表示する。更に、上記した各要部及びバックライト２０５に対して電源を供給する電源回路２０６と、各部を制御するメインコントローラー２０７とを備えて構成されている。
【００３５】
なお、第２の実施形態では、本発明に係る照明装置はバックライトとして使用されるため、第一の実施形態同様、直列に接続されたＬＥＤの一つが故障（オープン状態）になっても、その発光輝度を維持することが可能である。
【００３６】
２．２．変形例：
また、バックライト２０５の構成としては、直下型に限定されず、サイドライト方式であってもよい。サイドライト方式のバックライトでは、ＬＥＤモジュール９１を表示パネルの側部に配置し、ＬＥＤから照射された光を導光板を用いて表示パネルに照射する。
以上、第二の実施形態を説明した。
【００３７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３８】
８０…発光維持回路、８１…設定抵抗、８２…第一のスイッチング回路、８２ａ…起動抵抗、８３…第二のスイッチング回路、８３ａ…保持抵抗、９０…発光部、９１…ＬＥＤモジュール、９８…電源回路、９８ａ〜ｄ…変圧回路、９９…コントローラー、１００…照明装置、２００…表示装置、２０２…信号処理部、２０３…ドライバー回路、２０４…表示パネル、２０５…バックライト、２０６…電源回路、２０７…メインコントローラー、２０１…入力ＩＦ
【図１】
2011014367.tif 000003
【図２】
2011014367.tif 000004
【図３】
2011014367.tif 000005
【図４】
2011014367.tif 000006